(57)【要約】【課題】動力の連動によって、ハンドルに対して機体を左右に旋回させる草刈機において、この動力源であるエンジンが停止している時や、刈取装置に刈草が詰っている時にもハンドルを容易に旋回させることのできる草刈機を提供することを課題とする。【解決手段】ハンドルフレーム１９を動力により連動して刈取装置２に対し左側又は右側へ旋回させて振替可能の草刈機において、このハンドルフレーム１９を手で把持して該刈取装置２に対し旋回させて固定可能のハンドルロック装置７５を設けたことを特徴とするハンドル振替装置の構成とする。又、前記ハンドルロック装置７５は、刈取装置２に対するハンドルフレーム１９の旋回軸３周りに、相対的にこのハンドルフレーム１９を把持旋回させて固定可能のターンロックプレート７６と、このターンロックプレート７６に係合固定するロックピン７７とを設けた構成とする。【選択図】図１
2005110520.tif 000002
【特許請求の範囲】
【請求項１】
ハンドルフレーム（１９）を動力により連動して刈取装置（２）に対し左側又は右側へ旋回させて振替可能の草刈機において、このハンドルフレーム（１９）を手で把持して該刈取装置（２）に対し旋回させて固定可能のハンドルロック装置（７５）を設けたことを特徴とするハンドル振替装置。
【請求項２】
前記ハンドルロック装置（７５）は、刈取装置（２）に対するハンドルフレーム（１９）の旋回軸（３）周りに、相対的にこのハンドルフレーム（１９）を把持旋回させて固定可能のターンロックプレート（７６）と、このターンロックプレート（７６）に係合固定するロックピン（７７）とを設けたことを特徴とする請求項１に記載の草刈機のハンドル振替装置。
【請求項３】
前記旋回軸（３）には、ハンドルフレーム（１９）と一体に回動して振替位置の規制を受ける案内穴（５８）を形成したターンガイドプレート（５６）を回動自在に設けると共に、このターンガイドプレート（５６）との間をロックピン（７７）で係合して一体回動可能のターンロックプレート（７６）を設けたことを特徴とする請求項２に記載の草刈機のハンドル振替装置。
【発明の詳細な説明】
【技術分野】
【０００１】
この発明は、ハンドルフレームを刈取装置に対して動力連動により左側又は右側に旋回させて刈取方向を切替えると共に、このハンドルフレームを手で把持して旋回及び旋回位置固定可能とする草刈機のハンドル振替装置に関する。
【背景技術】
【０００２】
動力連動、及び手動ハンドル連動により刈取装置のハンドルフレームを左側又は右側へ旋回させて刈取方向を振替える技術（例えば、特許文献１参照）が知られている。又、ハンドルフレームを旋回する旋回動力を切断するクラッチを設けると共に、このクラッチ切りの時の旋回継続を係止するためのストッパピンを設けて、ハンドルフレームの旋回を係止する安全装置を設ける技術（例えば、特許文献２参照）が知られている。
【特許文献１】特開２００３−５２２１８号公報（第１頁、図１）
【特許文献２】特開２００１−２７５４４３号公報（第７頁、図１７）
【発明の開示】
【発明が解決しようとする課題】
【０００３】
動力やハンドル回転等によって刈取装置に対してハンドルフレームを左側、又は右側へ旋回させて刈取方向を振替える形態では、この動力源であるエンジンが停止している時や、刈取装置に刈草が詰って刈取停止している時等には、ハンドルフレームの手による把持旋回操作が行い難く、構成、操作共に煩雑化となる。特にハンドルフレームの旋回にウォームギヤ機構等を介在させて行わせる形態では、このハンドルフレームの旋回連動のクラッチを切りにしても、ハンドルフレーム側からの旋回操作は行い難く、又、手動ハンドルを回転連動させてハンドルフレームを旋回する場合は、操作時間や手数を要するため面倒である。
【課題を解決するための手段】
【０００４】
請求項１に記載の発明は、ハンドルフレーム１９を動力により連動して刈取装置２に対し左側又は右側へ旋回させて振替可能の草刈機において、このハンドルフレーム１９を手で把持して該刈取装置２に対し旋回させて固定可能のハンドルロック装置７５を設けたことを特徴とするハンドル振替装置の構成とする。刈取作業は、作業者がハンドルフレーム１９のハンドル部を把持して、エンジン等の動力によって走行部や刈取装置２部等を駆動して行われる。刈取方向を切替える等のためにハンドルフレーム１９を刈取装置２に対して左側、又は右側等へ振替えるときは、草刈機や刈取作業状態等によって、動力又は手操作を選択して行わせることができる。これらハンドルフレーム１９を旋回させるときは、ハンドルロック装置７５のハンドル固定を解除しておき、動力連動、又は手により直接ハンドルフレーム１９を把持して適宜の方向角度へ旋回させる。ハンドルフレーム１９が所望の方向へ旋回すると、ハンドルロック装置７５を固定操作してその旋回位置を固定する。この固定状態では動力連動か手による把持操作かに拘らず、ハンドルフレーム１９は刈取装置２に対する振替位置は固定されて、安定した刈取操作を行わせることができる。
【０００５】
請求項２に記載の発明は、前記ハンドルロック装置７５は、刈取装置２に対するハンドルフレーム１９の旋回軸３周りに、相対的にこのハンドルフレーム１９を把持旋回させて固定可能のターンロックプレート７６と、このターンロックプレート７６に係合固定するロックッピン７７とを設けたことを特徴とするものである。前記ハンドルフレーム１９の左側、又は右側への振替旋回は、動力連動による場合は、動力連動によって旋回軸３が駆動されて、刈取装置２に対してこの旋回軸３の周りに回動される。このハンドルフレーム１９を直接手で把持して旋回するときは、ハンドルロック装置７５のターンロックプレート７６に対するロックピン７７の係合を外すことによって、このハンドルフレーム１９は旋回軸３の周りに旋回自在の状態となり、動力連動、又は手による把持操作で旋回することができる。そして、このハンドルフレーム１９の旋回位置が決まるとロックピン７７を係合させて、ハンドルフレーム１９の旋回位置を固定することができる。
【０００６】
請求項３に記載の発明は、前記旋回軸３には、ハンドルフレーム１９と一体に回動して振替位置の規制を受ける案内穴５８を形成したターンガイドプレート５６を回動自在に設けると共に、このターンガイドプレート５６との間をロックピン７７で係合して一体回動可能のターンロックプレート７６を設けたことを特徴とするものである。ハンドルフレーム１９を動力で旋回するときは、ターンガイドプレート５６とターンロックプレート７６との間をロックピン７７で係合して一体的にすることによって行われる。旋回域は案内穴５８の規制を受けるが、旋回動力を切ることによって旋回が停止して、その停止位置で固定されることになる。又、ハンドルフレーム１９を手で直接把持して旋回するときは、ロックピン７７による係合を外すことにより、ハンドルフレーム１９は旋回軸３に対して旋回自在となり、旋回位置の選択が決まるとロックピン７７を係合させて、ハンドルフレーム１９位置を固定できる。
【発明の効果】
【０００７】
請求項１に記載の発明は、ハンドルロック装置７５の旋回固定を解除することにより、ハンドルフレーム１９を刈取装置２に対して左側、又は右側へ旋回自在の状態とすることができ、動力連動によるか、又は手でハンドルフレーム１９を直接把持した状態で左右へ旋回することができ、この旋回位置をハンドルロック装置７５の固定操作で固定できる。そして、手でハンドルフレーム１９を把持操作して旋回するときは、動力連動によるハンドルフレーム１９の旋回駆動機構による制限を受けることはなく、動力停止中であっても、ハンドルフレーム１９の旋回を簡単、迅速、容易に操作できる。
【０００８】
請求項２に記載の発明は、ハンドルフレーム１９を旋回、及び固定できるハンドルロック装置７５が、このハンドルフレーム１９の回動中心である旋回軸３の周りに、ターンロックプレート７６と、これに係合しうるロックピン７７として配置されるため、この構成、及び係合、離脱操作を簡単、容易化することができ、ハンドルフレーム１９の旋回、固定を的確に行わせることができる。
【０００９】
請求項３に記載の発明は、ハンドルフレーム１９の旋回中心である旋回軸３上に、回動自在のターンガイドプレート５６と、一体回動のターンロックプレート７６を配置するため、構成を簡単化できる。又、ハンドルフレーム１９側のターンガイドプレート５６に旋回域規制の案内穴５８を形成すると共にロックピン７７を設け、このロックピン７７を係合可能のターンロックプレート７６を旋回軸３に固定して設けるため、このロックピン７７のターンロックプレート７６に対する係合、離脱によってハンドルフレーム１９を旋回軸３に対して回動自在の状態にしたり、動力連動又は手で直接ハンドルフレーム１９を把持して旋回させたり、又、この旋回位置を固定することができ、動力連動によるか、又は手で直接ハンドルフレーム１９を把持操作するによるかを、同一ロックピン７７の係合、離脱操作によって行われるため、操作を簡単に行うことができる。
【発明を実施するための最良の形態】
【００１０】
この発明の一実施例を図面に基づいて説明する。草刈機の概略構成は、刈取地面に沿って回転しながら芝草を刈取するブレード１５を有した刈取装置２と、この後側部を接地回転する左右一対の駆動ドラム１３や外側の車輪１４等を有し、後部のエンジン１７によって駆動して走行推進しながら刈取を行うもので、この主体を構成する伝動ケース１８の上側に刈取ハンドル１のハンドルフレーム１９基部を取付け、このハンドルフレーム１９の先端部の操作ハンドル２１部を把持して歩行しながら刈取操作を行う。２０は刈取装置２のブレード１５部を覆う刈取カバー、２２は刈取装置の前方部を接地支持する補助輪である。
【００１１】
エンジン１７の駆動で駆動ドラム１３や車輪１４を伝動回転して走行し、ブレード刃１５を伝動回転して芝草の刈取を行うことができる。ハンドルフレーム１９は、基部をハンドルブラケット２３に対してハンドル軸２４の周りに上下回動可能で、このハンドルフレーム１９と一体回動のラック２５にブラケット２３側定位置の係止爪２６を係合することによって、この刈取ハンドル１の操作高さを適宜調節できる。このハンドルブラケット２３は、伝動ケース１８上の旋回軸３に対して回動自在に設けられる。このハンドルブラケット２３部には、上下二段のプレート２８,５６が取付けられ、この上側のプレート２８とハンドルブラケット２３に一体のブラケットディスク２７とがボルト２９によって固定される。又、ターンガイドプレート５６の下側には、旋回軸３にキー８３止めで一体のターンロックプレート７６を設けて、これら両プレート５６,７６間をロックピン７７で係合させて一体として、ターンガイドプレート５６及びハンドルフレーム１９の旋回を固定することができるハンドルロック装置７５を構成する。このハンドルフレーム１９の上下回動は、該係止爪２６をワイヤー３０連動で刈取ハンドル１側のレバー６９操作で行うことができる。
【００１２】
前記伝動ケース１８におけるエンジン１７から車輪１４、ブレード１５、及び旋回軸３等への伝動構成を説明する。エンジン１７に連結の入力軸３２から、一速ギヤ３３、二速ギヤ３４、及びこれらのギヤ３３,３４間に切替える変速クラッチ３５を介して、二重軸形態の内軸３６と外軸３７に連動する。この内軸３６はベベルギヤ３８を介して刈取軸３９へ連動し、外軸３７はウォームギヤ４０を介して走行伝動ケース３１内の走行軸４１へ連動する。変速クラッチ３５が中立位置、乃至いずれかのギヤ３３，３４に切替えられた位置に拘らず、内軸３６はこの一速ギヤ３４と一体で常時伝動回転される状態にあって、刈取装置２のブレード１５を伝動する。これに対して走行軸４１は、変速クラッチ３５をいずれかのギヤ３３，３４に切替咬合わせることによって、外軸３７やウォームギヤ４０等を経て駆動ドラム１３や車輪１４の伝動回転を変速する。
【００１３】
この内軸３６の先端部からベベルギヤ３８，４２を介してベベル軸４３が連動されて、このベベル軸４３から旋回クラッチ７や、ウォームギヤ４４等を経て、上下方向に沿う旋回軸３を左右に旋回伝動できる。この旋回クラッチ７のクラッチ軸４５には、旋回クラッチ７の両側に対向する正、逆転のベベルクラッチギヤ４６，４７が回転自在に設けられて、前記ベベル軸４３のべベルギヤ４８の左右両側に常時噛合させる。このクラッチ軸４５とウォームギヤ４４のウォーム軸４９との間はギヤ５０で連動する。旋回クラッチ７の中立位置では旋回軸３へは伝動されないが、旋回クラッチ７をクラッチギヤ４６に咬合わせて旋回軸３を左側旋回に伝動する。クラッチギヤ４７に咬合わせると旋回軸３を右側旋回に伝動することができる。５１はハンドルで、伝動ケース１８の外側から手動でクラッチ軸４５を回動して、旋回軸３を回動できる。
【００１４】
前記伝動ケース１８において、変速クラッチ３５は、シフター５２を有して、この伝動ケース１８の外側部に設けられる変速レバー５３によって切替えられる。旋回クラッチ７は上側のシフター５４によって切替えられる。このシフター５４のシフター軸５５は、伝動ケース１８の前記旋回軸３の前側に設けられて、この上端を伝動ケース１８上に突出させて、横方向に沿う旋回アーム８の中央部を取付ける。
【００１５】
前記旋回軸３の上端部に嵌合のプレート２８の下部には一体回動可能のターンガイドプレート５６が設けられる。このターンガイドプレート５６やブラケットディスク２７及びプレート２８は、前記ボルト２９等によってハンドルフレーム１９と一体的に連結され、旋回軸３に対して回動自在である。このターンガイドプレート５６と旋回アーム８との間が、ロッド５７とこのターンガイドプレート５６の円弧状案内穴５８との係合によって案内される。この案内穴５８は、旋回軸３の周りに略１８０度域にわたって形成され、ハンドルフレーム１９の方向に対して右側に形成される。刈取装置２の芝草の案内入口側を刈取方向Ａとして、この刈取方向Ａがハンドルフレーム１９の方向に平行状態にある前進刈位置Ｆでは、ロッド５７の先端の連結部５９が案内穴５８の中央部に位置される。刈取装置２を旋回軸３周りに左側（反時計回り）へ旋回させて、刈取方向Ａを左向きにした左進刈位置Ｌでは、このロッド５７の連結部５９が案内穴５８の前端部に達して係止される。又、逆にこの刈取方向Ａを同様にして右向きにした状態の右進刈位置Ｒでは、連結部５９が案内穴５８の後端部に係止される。
【００１６】
このような旋回アーム８の左右両側部は、ハンドルフレーム１９の後端部に装着の旋回レバー６との間をワイヤー１０で連結され、サイドクラッチ４のサイドクラッチアーム９との間をワイヤー１１で連結される。６０は旋回アーム８を中立位置に復帰する復帰ばねである。６１は伝動ケース１８の上面を覆うケースカバー、８５は、ワイヤー取付用のブラケットである。前記前進刈位置Ｆで左側の旋回レバー６を引くと左側ワイヤー１０によって旋回アーム８及びシフタ軸５５が反時計回りに揺動されて、旋回クラッチ７をクラッチギヤ４７側へ咬合わせて、ギヤ５０やウォームギヤ４４等を経て旋回軸３及びハンドルフレーム１９等を時計回りへ回動させる。このため、このハンドルフレーム１９の回動を作業者がハンドル２１の把持によって刈取走行操縦の定位置に固定することによって、駆動反力によって刈取装置２を反時計回りに旋回させて、前進刈位置Ｆから左進刈位置Ｌへ向うように旋回させる。これと同時に旋回アーム８先端部のワイヤー１１を引いて左側のサイドクラッチアーム９を回動して、サイドクラッチ４を切って左側の車輪１４、駆動ドラム１３の伝動回転を停止し、左側へ操向旋回させる。
【００１７】
この左進刈位置Ｌへの操作連動において、ロッド５７の連結部５９が案内穴５８の前端部に係止されると、このロッド５７を介して旋回アーム８が引き戻されて、旋回クラッチ７が切りになり、旋回軸３のそれ以上の旋回が牽制される。
又、この左進刈位置Ｌから前進刈位置Ｆに旋回するときは、右側の旋回レバー６を引くことにより、旋回アーム８が上記とは反対方向へ揺動され、旋回クラッチ７はクラッチギヤ４６側に咬合わされる。又、ロッド５７の連結部５９は、案内穴５８の中央位置に戻る。この前進刈位置Ｆになったとき旋回レバー６を解放すれば、旋回クラッチ７が切りになり、サイドクラッチ４は左右共に入りになって、旋回伝動、操向伝動共に停止状態となる。
更に、この前進刈位置Ｆから右進刈位置Ｒへ旋回するときは、右側の旋回レバー６を引くことによって同様にして行われる。このときロッド５７の連結部５９は、案内穴５８に案内されたのち終端部に係止されて、このロッド５７が押されて旋回クラッチ７が切りに戻される。又、旋回アーム８からは左端のワイヤー１１によって右側のサイドクラッチ４が連動される。
【００１８】
前記ハンドルロック装置７５は、旋回軸３上に沿って配置されるターンガイドプレート５６と、旋回軸３にキー８３止めされたターンロックプレート７６と、これらのプレート５６,７６間を連結したり開放するロックピン７７と、このロックピン７７を連結、解放操作するロック解除レバー７８と等から構成される。ハンドルフレーム１９側に一体で旋回軸３周りに回動しうるターンガイドプレート５６には、前記案内穴５８と共に、下側のターンロックプレート７６へ向けて出没するロックピン７７を設ける。このロックピン７７は、ターンガイドプレート５６上面に固定のピンボス７９に嵌合されてばね８０によって常時下方へ弾発される。このロックピン７７の上端にはワイヤー８１が連結されて、このワイヤー８１を該ばね８０に抗して引くことにより、ロックピン７７を引き上げてターンロックプレート７６との係合を外すことができる。このワイヤー８１は、前記操作ハンドル２１、又は、この旋回軸３近くのハンドルフレーム１９部や、刈取装置２部等に設けられるロック解除レバー７８に連結されて、このロック解除レバー７８を把持することによってハンドルフレーム１９を旋回しうる状態にロック解除し、ロック解除レバー７８の把持を解放することによってハンドルフレーム１９を旋回軸３に対して旋回できないように固定することができる。又、前記ターンロックプレート７６は、該ターンガイドプレート５６の下面に接近して旋回軸３部に固定される。旋回軸３周りのロックピン７７の回動する軌跡輪線上に、適宜旋回角度間隔毎に上下に貫通するピン穴８２を配置形成し、前記ロックピン７７を係合、離脱させる。
【００１９】
刈取作業は、作業者が操作ハンドル２１部を把持して、エンジン１７の駆動で走行車輪１４や駆動ドラム１３等を伝動すると共に、ブレード１５を伝動回転させて行われる。刈取方向を切替える等のためにハンドルフレーム１９を刈取装置２側の伝動ケース１８部に対して左側、又は右側等へ振替えるときは、このハンドルフレーム１９の位置を固定しているハンドルロック装置７５のロック解除レバー７８を把持してハンドル固定を解除する。ロック解除レバー７８は、把持されていないときはロックピン７７がばね８０に押されてターンロックプレート７６のピン穴８２に係合してハンドルフレーム１９を旋回軸３に対して固定の状態に維持するが、把持することによってロックピン７７をピン穴８２から外して、ハンドルフレーム１９は旋回軸３の周りに回動自在の状態となる。
ハンドルフレーム１９を動力で旋回させるときは、左右いずれかの旋回レバー６を把持することにより、中立位置にある旋回クラッチ７を左右のベベルクラッチギヤ４６,４７に切替えて入りにし、これによりウォームギヤ４４等の連動を経て旋回軸３を左側、又は右側へ回動し、更にターンロックプレート７６、ロックピン７７、及びターンガイドプレート５６等を介してハンドルフレーム１９を旋回する。適当な旋回位置で旋回レバー６の把持を解放すると、旋回クラッチ７が中立位置になってハンドルフレーム１９の旋回は止まる。この状態ではウォームギヤ４４の噛合によってハンドルフレーム１９は左右いずれの方向へも旋回しない逆連動固定状態となる。又、ハンドル５１の回動操作でハンドルフレーム１９を旋回するときは、旋回クラッチ７は中立位置に操作された状態で行われるが、ウォームギヤ４４によるハンドルフレーム１９の旋回位置固定は同様に行われる。
【００２０】
又、エンジン１７が停止されていて動力によりハンドルフレーム１９を旋回できない場合のように、作業者が直接ハンドルフレーム１９を操作してハンドル方向を振替えたいときは、前記ロック解除レバー７８を把持操作して、ロックピン７７をターンロックプレート７６のピン穴８２との係合を外した状態で、このハンドルフレーム１９を旋回軸３周りに左右へ旋回させる。このハンドルフレーム１９の旋回位置が決まるとロック解除レバー７８の把持を解放することにより、ロックピン７７がばね８０で弾発されてターンロックプレート７６のピン穴８２に係合されて、ハンドル位置が固定される。
このようなハンドルフレーム１９の旋回時は、ターンガイドプレート５６及びこの案内穴５８が一体回動するため、旋回アーム８に連結のロッド５７連結部５９による相対的回動域が規制され、この規制回動域の範囲内でハンドルフレーム１９の旋回が行われる。又、このようなハンドルフレーム１９の把持旋回の操作では、前記動力による場合や、ハンドル５１回動による場合のように、ウォームギヤ４４による逆連動固定の作用がないため、ロックピン７７がピン穴８２から外れている限り、ハンドル旋回を行うことができる。
前記ターンロックプレート７６とロックピン７７に代えて、ターンロックプレート７６の周囲にラックを形成し、このラックに係合する係合爪とを設ける形態とするもよい。
【００２１】
前記刈取装置２は、伝動ケース１８の前側に一体の刈取カバー２０の下側に左右一対のブレード軸６２が垂直状に軸装されて、各軸６２の下端部に草刈用のブレード１５が取付けられ、上端部には前記伝動ケース１８下側の刈取軸３９との間にベルト６３を掛けわたして伝動回転する。この刈取カバー２０の左右両側にはゴム板からなるサイドカバー１６が取付けられる。７３は分草杆である。
前記走行軸４１の左右両端部には、チェンケース６４を介して左右一対の車軸６５を左右水平状に支架し、この各車軸６５には駆動ドラム１３とこの横端のゴム製の車輪１４とを設ける。走行軸４１と各車軸６５との間はチェンケース６４内のチェンを掛けわたして伝動する。走行軸４１の左右両端部にはチェンケース６４の外側部にサイドクラッチアーム９が設けられ、この走行軸４１上の左右いずれか片側のサイドクラッチ４を操作連動して、このサイドクラッチ４を切ることによって走行軸４１からチェンケース６４下端の車軸６５への伝動を切ることができる。この左右の各サイドクラッチアーム９には、前記旋回アーム８との間のワイヤー１１が連結される。又、このサイドクラッチアーム９には走行レバー５との間のワイヤー１２が連結されて、この走行レバー５を引くことにより左右両サイドクラッチ４が同時に切りになって走行を停止できる。
【００２２】
前記各駆動ドラム１３は、中央部の回転径を小さく形成し、外側部の回転径を大きく形成して、外周面にはスパイク６６を突出させる。この左右外側端にはこれら駆動ドラム１３よりも大径のゴム製の車輪１４を一体回転するように設け、平坦な路面走行時は、この車輪１４部のみによる接地回転で走行できる。前記左右のブレード１５の回転によって刈取られる芝草は、刈取地面の中央部を後側へ排出される。この刈取られる芝草上を後側の駆動ドラム１３や車輪１４が踏圧しながら回転して走行する。
このような駆動ドラム１３及び車輪１４は、旋回時には左右各別に伝動され、又、伝動停止される。このため、これら駆動ドラム１３と車輪１４による刈取地面への接地踏圧幅を広くして、刈取地面や旋回地面が傾斜していても、滑り落ちを少くすると共に、駆動力を維持して空転を少くし、速やかな旋回を行うことができる。又、路面走行時は車輪１４駆動による路面損傷を防止する。
又、芝草刈取時には、刈取られる芝草がゴム製のサイドカバー１６によって側方への飛散が有効に防止される。刈取装置２の旋回時にはこのサイドカバー１６が刈取地面や芝草上面に接しても、弾性による逃げによって抵抗を小さくすることができ、旋回を円滑に行うことができる。
【００２３】
前記刈取ハンドル１はハンドルフレーム１９先端部に操作ハンドル２１を有するが、この操作ハンドル２１は、ループ状に形成されて、この操作ハンドル１のハンドル基部６７を左右水平状に形成して、この中央部をハンドルフレーム１９先端のハンドルボス６８に嵌合させて、前後へ回転することができる。このハンドル基部６７の前側のハンドルブラケット７２に、右側の走行レバー５と左側のレバー６９とを設け、右手でこの走行レバー５を後側のハンドル基部６７側へ引くことによりワイヤー１２を介して左右のサイドクラッチ４を同時に切ることができる。又、左手でレバー６９を引くことによってワイヤー３０を介して係止爪２６を外して、ハンドルフレーム１９の上下角度を変更することができる。
このハンドル基部６７の上方にはこれと平行状のレバーステー７０が、ハンドルブラケット７２に固定して設けられる。このレバーステー７０の前側に左右の旋回レバー６が各々設けられて、前記旋回アーム８との間にワイヤー１０で連動される。左側の旋回レバー６は左手で後側のレバーステー７０側へ引き、右側の旋回レバー６は右手で後側へ引いて、左進刈位置Ｌ又は右進刈位置Ｒの旋回操作を行うことができる。７１はエンジン１７のスロットルレバーである。
【図面の簡単な説明】
【００２４】
【図１】この発明に係る草刈機の伝動ケース部の斜視図。
【図２】その一部の拡大平面図。
【図３】その草刈機全体の平面図。
【図４】その刈取装置部の旋回状態を示す平面図。
【図５】その刈取装置部の一部側断面図。
【図６】そのハンドルフレーム部の側断面図。
【図７】その伝動ケース部の側断面図。
【図８】その上部の拡大側断面図。
【図９】その平断面図。
【図１０】その車輪部の平面図。
【符号の説明】
【００２５】
１  刈取ハンドル
２  刈取装置
３  旋回軸
１９  ハンドルフレーム
４４  ウォームギヤ
５６  ターンガイドプレート
５８  案内穴
７５  ハンドルロック装置
７６  ターンロックプレート
７７  ロックピン
７８  ロック解除レバー
８２  ピン穴
【図１】
2005110520.tif 000003
【図２】
2005110520.tif 000004
【図３】
2005110520.tif 000005
【図４】
2005110520.tif 000006
【図５】
2005110520.tif 000007
【図６】
2005110520.tif 000008
【図７】
2005110520.tif 000009
【図８】
2005110520.tif 000010
【図９】
2005110520.tif 000011
【図１０】
2005110520.tif 000012